(57)【要約】【課題】断路器の通電中において断路器の接点部の付着物や絶縁性被膜を除去できる断路器の接点保守方法を提供することである。【解決手段】断路器の接点部１５ｂ、１５ｃに振動を与え、接点部１５ｂ、１５ｃの固定接触部とブレード１４との接触面を擦り、接触面に付着した付着物または接点表面に形成された絶縁性被膜を除去する。これにより、通電中において接点部１５ｂ、１５ｃの接触抵抗値を小さくする。【選択図】  図１
2012164566.tif 000002
【特許請求の範囲】
【請求項１】
断路器の接点部に振動を与え、前記接点部の固定接触部とブレードとの接触面を擦り、前記接触面に付着した付着物または前記接点表面に形成された絶縁性被膜を除去することを特徴とする断路器の接点保守方法。
【請求項２】
前記断路器本体を支持する架台にバイブレータを設け、前記バイブレータにより前記架台を振動させて、前記断路器の接点部に振動を与えることを特徴とする請求項１記載の断路器の接点保守方法。
【請求項３】
前記断路器本体を支持する架台に電動機を設け、前記電動機により前記ブレードを寸動させて、前記断路器の接点部に振動を与えることを特徴とする請求項１記載の断路器の接点保守方法。
【請求項４】
前記ブレードを開閉操作する電動機により前記ブレードを寸動させて、前記断路器の接点部に振動を与えることを特徴とする請求項１記載の断路器の接点保守方法。
【発明の詳細な説明】
【技術分野】
【０００１】
本発明は、断路器の接点部の温度上昇を抑制するための断路器の接点保守方法に関する。
【背景技術】
【０００２】
一般に、気中断路器の接点部の接点は、銅に銀メッキを施した接点を使用している。また、気中断路器は、気中絶縁を採用しているため接点部の接点は気中に暴露され、通電中においては接点部の接点が閉路される。銅などの導体素地のままでは摺動による摩擦熱や通電によるジュール熱に起因する発熱のために酸化して接触抵抗が増加することがあるので、摺動通電部には摺動接触面に銀メッキによる皮膜処理が施されている。この銀メッキによる皮膜処理が欠損すると、接点部が過熱して温度が上昇するので、銀メッキによる皮膜処理が欠損しないようにしたものがある（例えば、特許文献１参照）。
【先行技術文献】
【特許文献】
【０００３】
【特許文献１】特開２００２−３４１６８号公報
【発明の概要】
【発明が解決しようとする課題】
【０００４】
しかし、気中断路器は接点部の接点が気中に暴露されているので、接点部の接点の表面には、大気中からの付着物が付着したり絶縁性被膜が生成されることがある。付着物が付着したり絶縁性被膜が生成されると、接点部の接触抵抗値が上昇して過熱現象が生じる。過熱温度が高くなると断路器の損壊の恐れがある。この付着物や絶縁性被膜の除去には、断路器の通電を停止して接点表面の清掃を行うことになるので、設備の停電を伴うことになり、電力の系統安定度に影響を及ぼしている。
【０００５】
本発明の目的は、断路器の通電中において断路器の接点部の付着物や絶縁性被膜を除去できる断路器の接点保守方法を提供することである。
【課題を解決するための手段】
【０００６】
請求項１の発明に係る断路器の接点保守方法は、断路器の接点部に振動を与え、前記接点部の固定接触部とブレードとの接触面を擦り、前記接触面に付着した付着物または前記接点表面に形成された絶縁性被膜を除去することを特徴とする。
【０００７】
請求項２の発明に係る断路器の接点保守方法は、請求項１の発明において、前記断路器本体を支持する架台にバイブレータを設け、前記バイブレータにより前記架台を振動させて、前記断路器の接点部に振動を与えることを特徴とする。
【０００８】
請求項３の発明に係る断路器の接点保守方法は、請求項１の発明において、前記断路器本体を支持する架台に電動機を設け、前記電動機により前記ブレードを寸動させて、前記断路器の接点部に振動を与えることを特徴とする。
【０００９】
請求項４の発明に係る断路器の接点保守方法は、請求項１の発明において、前記ブレードを開閉操作する電動機により前記ブレードを寸動させて、前記断路器の接点部に振動を与えることを特徴とする。
【発明の効果】
【００１０】
請求項１の発明によれば、断路器の接点部に振動を与えて、断路器の接点部の接点の接触面に付着した付着物または接点表面に形成された絶縁性被膜を除去するので、通電中において接点部の接触抵抗値を小さくできる。
【００１１】
請求項２の発明によれば、請求項１の発明の効果に加え、断路器本体を支持する架台にバイブレータを設置するだけでよい。また、請求項３の発明によれば、請求項１の発明の効果に加え、断路器本体を支持する架台に電動機を設けるだけでよい。請求項４の発明によれば、請求項１の発明の効果に加え、既存のブレードを開閉操作する電動機を使用するので、追加の設備を必要としない。
【図面の簡単な説明】
【００１２】
【図１】本発明の実施形態に係る断路器の接点保守方法の一例の説明図。
【図２】本発明の実施形態に係る断路器の接点保守方法の他の一例の説明図。
【図３】本発明の実施形態に係る断路器の接点保守方法の別の他の一例の説明図。
【発明を実施するための形態】
【００１３】
まず、本発明に至った経緯を説明する。断路器を長期間にわたって閉路したままであると、接点部が過熱することが判明した。また、接点部に過熱が発生した断路器であっても、その後に地震が発生したり、風が吹いた場合には、接点部の過熱が解消されていることが判明した。銀メッキによる皮膜処理が破損している場合には、接点部の過熱が解消するとは考え難い。そこで、過熱の原因は、接点部の接点に付着物が付着したり絶縁性被膜が生成され、接点部の一部の接触抵抗値が上昇し、接触抵抗値が小さい部分に電流が集中して流れるためであるとの知見を得た。
【００１４】
そこで、本発明では、断路器の接点部に振動を与え、接点部の固定接触部とブレードとの接触面を擦り、接触面に付着した付着物または接点表面に形成された絶縁性被膜を除去することとした。
【００１５】
以下、本発明の実施形態を説明する。図１は本発明の実施形態に係る断路器の接点保守方法の一例の説明図であり、図１（ａ）は断路器の正面図、図１（ｂ）は断路器の接点部の斜視図である。
【００１６】
図１（ａ）に示すように、断路器の本体１１は架台１２により支持されている。断路器本体１１は、碍子１３ａでブレード１４を支持し、碍子１３ｂで接点部１５ｂを支持し、さらに碍子１３ｃで接点部１５ｃを支持している。ブレード１４は、架台１２に設けられた開閉操作用電動機１６により駆動され、ブレード１４を接点部１５ｂ、１５ｃの固定接触部に接触させたり、その接触を解除したりして、断路器の開閉操作を行う。また、架台１２には接点部１５ｂ、１５ｃに振動を与えるためのバイブレータ１７が設けられている。
【００１７】
図１（ｂ）に示すように、接点部１５の固定接触部はブレード１４を把持するためのフィンガコンタクト１８を有し、フィンガコンタクト１８がブレード１４の接点１９を把持したときが断路器の閉状態である。ブレード１４は銅で形成され接点１９には銀メッキが施されている。また、ブレード１４の接点１９と接触するフィンガコンタクト１８の部分にも銀メッキが施されている。
【００１８】
また、架台１２に設けられたバイブレータ１７は、断路器が通電状態であるときに駆動され、断路器が開放しない程度の微少振動を接点部１５ｂ、１５ｃに与えるものである。すなわち、フィンガコンタクト１８がブレード１４の接点１９を把持した状態、つまり断路器の閉状態で駆動され、フィンガコンタクト１８とブレード１４の接点１９とが擦られる程度の振動を与えるものである。
【００１９】
バイブレータ１７が駆動されると、その振動は、碍子１３ｂ、１３ｃを介して接点部１５ｂ、１５ｃに伝搬する。接点部１５ｂ、１５ｃは振動が与えられると、接点部１５ｂ、１５ｃのフィンガコンタクト１８とブレード１４の接点１９との接触面が擦られ、それらの接触面に付着した付着物や接点表面に形成された絶縁性被膜を除去する。これにより、断路器の接点部１５の接触抵抗を小さくでき、接点部１５の過熱を防止できる。
【００２０】
ここで、バイブレータ１７の駆動は、断路器の巡視において、断路器の接点部１５の過熱が確認されたときに、断路器の接点部１５の過熱が解消されるまで継続して行う。断路器の接点部１５の過熱の有無は、サーモラベルあるいはサーモビュア（赤外線撮像装置）で確認する。また、断路器の接点部１５の過熱が確認されないときであっても、断路器の通電状態が所定期間以上継続しているときに行うようにしてもよい。これにより、停電を伴うことなく、長期間にわたって閉状態を継続している断路器の接点部１５の付着物や絶縁性被膜を早期に除去できる。
【００２１】
以上の説明では、バイブレータ１７により断路器の接点部１５に微少振動を与え、接点部１５の付着物や絶縁性被膜を除去するようにしたが、図２に示すようにバイブレータ１７に代えて、振動操作用電動機２０を設け、振動操作用電動機２０によりブレード１４を寸動させて、断路器の接点部１５ｂ、１５ｃに振動を与えるようにしてもよい。
【００２２】
また、図３に示すように、開閉操作用電動機１６を振動操作用電動機２０として、制御装置２１の制御を切り替えて駆動するようにしてもよい。すなわち、制御装置２１は、ブレード１４の開閉操作を行うときは開閉操作用電動機１６を開閉操作用に制御し、ブレード１４に振動を与えるときは開閉操作用電動機１６を振動操作用に制御する。振動操作用の制御では、開閉操作用電動機１６はブレード１４を寸動させて、断路器の接点部１５ｂ、１５ｃに振動を与えることになる。
【００２３】
本発明の実施形態によれば、断路器の接点部１５に振動を与えて、断路器の接点部１５の接点の接触面に付着した付着物または接点表面に形成された絶縁性被膜を除去するので、通電中において接点部１５の接触抵抗値を小さくできる。これは、接点部１５の表面の絶縁性被膜による過熱現象が風や地震などによる微少振動により回復することを確認しているので、人工的な微少振動でも同様な効果が十分期待できる。
【符号の説明】
【００２４】
１１…断路器本体、１２…架台、１３…碍子、１４…ブレード、１５…接点部、１６…開閉操作用電動機、１７…バイブレータ、１８…フィンガコンタクト、１９…接点、２０…振動操作用電動機、２１…制御装置
【図１】
2012164566.tif 000003
【図２】
2012164566.tif 000004
【図３】
2012164566.tif 000005